【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
印刷データ作成モジュールを介して作成されスプールされる印刷データを再スプールする印刷制御方法をコンピュータに実行させるための印刷制御プログラムであって、
前記印刷データの再スプールが完了する前に、印刷データの出力先を変更する変更ステップと、
印刷データの再スプールと、変更ステップによる変更後の代行先デバイスへの印刷データの出力とを並行して実行する制御ステップとを有することを特徴とする印刷制御プログラム。
【請求項２】
前記制御ステップは、
前記変更ステップにより出力先の変更がなされた場合でも、前記再スプールが完了する前の印刷データを継続してスプールするスプールステップと、
前記スプールステップでスプールが継続中の印刷データを、前記変更ステップにより変更された出力先である代行先デバイスへ出力する再出力ステップとにより行われることを特徴とする請求項１に記載の印刷制御プログラム。
【請求項３】
前記スプールステップによる印刷データの再スプールの完了を、前記再出力ステップを行う再出力手段に通知する通知ステップと、
前記通知ステップによる再スプールの完了通知により、変更された出力先への印刷データの出力終了を認識する認識ステップとを有することを特徴とする請求項２に記載の印刷制御プログラム。
【請求項４】
再スプールされる印刷データを特定する特定情報を参照する参照ステップを有し、前記制御ステップは、前記参照ステップによる参照に基づき特定される印刷データを読込み、該読込んだ印刷データの前記代行先デバイスへの出力を実行することを特徴とする請求項１乃至３の何れかに記載の印刷制御プログラム。
【請求項５】
前記印刷データ作成モジュールを介して作成される印刷データに対応して発行される第１ＩＤとは別に前記再スプールされる印刷データに第２ＩＤを割当てるＩＤ割当ステップと、
前記ＩＤ割当ステップにおいて割当てられる第２ＩＤに対応したジョブ情報の管理を行う管理ステップとを有し、前記ジョブ情報には、印刷データを特定する特定情報が含まれ、前記制御ステップは前記特定情報に基づき特定される印刷データの代行先デバイスへの出力を実行することを特徴とする請求項１乃至４の何れかに記載の印刷制御プログラム。
【請求項６】
前記第１ＩＤはＯＳを介して発行されるＩＤであることを特徴とする請求項５に記載の印刷制御プログラム。
【請求項７】
代行指示された何れかの代行先のデバイスへ印刷データを再出力する再出力手段に、再スプールされる印刷データに割当てられたＩＤの通知を行う通知ステップと、
前記通知ステップにおいて通知されたＩＤに基づいて代行処理対象の印刷データを特定する特定ステップと、
前記特定ステップにおいて特定された印刷データを読み込む読込ステップとを有し、前記制御ステップは前記再スプールの完了を待つことなく前記読込ステップにより読み込まれた印刷データの代行先デバイスへの出力を実行することを特徴とする請求項１乃至４の何れかに記載の印刷制御プログラム。
【請求項８】
前記代行先デバイス及び代行前のデバイスに対応する夫々のデータ出力ポートにはジョブ属性の情報が設定されていることを特徴とする請求項１乃至７の何れかに記載の印刷制御プログラム。
【請求項９】
前記印刷データは印刷ジョブファイルとして再スプールされるものであり、前記制御ステップは再スプールが継続されている前記印刷ジョブファイルから読み込まれる印刷データの代行先デバイスへの出力を実行することを特徴とする請求項１乃至８の何れかに記載の印刷制御プログラム。
【請求項１０】
請求項１乃至９の何れかに記載の印刷制御プログラムをコンピュータ可読の形態で記憶した記憶媒体。
【請求項１１】
印刷データ作成モジュールを介して作成されスプールされる印刷データを再スプールする情報処理装置であって、
前記印刷データの再スプールが完了する前に、印刷データの出力先を変更する変更手段と、
印刷データの再スプールと、変更手段による変更後の代行先デバイスへの印刷データの出力とを並行して実行する制御手段とを有することを特徴とする情報処理装置。
【請求項１２】
前記制御手段は、前記変更手段により出力先の変更がなされた場合でも、前記再スプールが完了する前の印刷データを継続してスプールするスプール手段と、
前記スプール手段によりスプールが継続中の印刷データを、前記変更手段により変更された出力先である代行先デバイスへ出力する再出力手段とを備えることを特徴とする請求項１１に記載の情報処理装置。
【請求項１３】
前記スプール手段による印刷データの再スプールの完了を、前記再出力手段に通知する通知手段と、
前記通知手段による再スプールの完了通知により、変更された出力先への印刷データの出力終了を認識する認識手段とを有することを特徴とする請求項１２に記載の情報処理装置。
【請求項１４】
再スプールされる印刷データを特定する特定情報を参照する参照手段を有し、前記制御手段は、前記参照手段による参照に基づき特定される印刷データを読込み、該読込んだ印刷データの前記代行先デバイスへの出力を実行することを特徴とする請求項１１乃至１３の何れかに記載の情報処理装置。
【請求項１５】
前記印刷データ作成モジュールを介して作成される印刷データに対応して発行される第１ＩＤとは別に前記再スプールされる印刷データに第２ＩＤを割当てるＩＤ割当手段と、
前記ＩＤ割当手段により割当てられる第２ＩＤに対応したジョブ情報の管理を行う管理手段とを有し、前記ジョブ情報には、印刷データを特定する特定情報が含まれ、前記制御手段は前記特定情報に基づき特定される印刷データの代行先デバイスへの出力を実行することを特徴とする請求項１１乃至１４の何れかに記載の情報処理装置。
【請求項１６】
前記第１ＩＤはＯＳを介して発行されるＩＤであることを特徴とする請求項１５に記載の情報処理装置。
【請求項１７】
前記制御手段に、再スプールされる印刷データに割当てられたＩＤの通知を行う通知手段と、
前記通知手段により通知されたＩＤに基づいて代行処理対象の印刷データを特定する特定手段と、
前記特定手段によって特定された印刷データを読み込む読込手段とを有し、前記制御手段は前記再スプールを待つことなく前記読込手段により読み込まれた印刷データの代行先デバイスへの出力を実行することを特徴とする請求項１１乃至１４の何れかに記載の情報処理装置。
【請求項１８】
前記代行先デバイス及び代行前のデバイスに対応するデータの出力ポートにはジョブ属性の情報が設定されていることを特徴とする請求項１１乃至１７の何れかに記載の情報処理装置。
【請求項１９】
前記印刷データは印刷ジョブファイルとして再スプールされるものであり、前記制御手段は再スプールが継続されている前記印刷ジョブファイルから読み込まれる印刷データの代行先デバイスへの出力を実行することを特徴とする請求項１１乃至１８の何れかに記載の情報処理装置。
【手続補正２】
【補正対象書類名】明細書
【補正対象項目名】０００８
【補正方法】変更
【補正の内容】
【０００８】
本発明は上記課題を鑑みてなされたものであり、印刷データ作成モジュールを介して作成されスプールされる印刷データを再スプールする印刷制御方法をコンピュータに実行させるための印刷制御プログラムであって、印刷データの再スプールが完了する前に、印刷データの出力先を変更する変更ステップと、印刷データの再スプールと、変更ステップによる変更後の代行先デバイスへの印刷データの出力とを並行して実行する制御ステップとを有することを特徴とする。